(57)【特許請求の範囲】
【請求項１】
両端が開放された筒状体と、該筒状体の内腔に所定距離隔てて液密かつ内壁に沿って摺動可能に挿着された、先端側の第１のガスケットと基端側の第２のガスケットを含んでなり、前記筒状体には、長手軸に関して反対側の側壁に薬液の入口と出口が設けられており、第１のガスケットと第２のガスケットの間は薬液が充填された薬液室になっており、前記第１のガスケットは、両端にシール部を有するとともに中央部分に薬液通路が設けられ、該薬液通路が前記薬液の入口と出口を連通する第１の位置から前記筒状体の先端まで移動可能であり、前記薬液の入口は出口より先端側で前記筒状体の内腔に開口しており、前記薬液室が前記薬液の出口と連通し入口とは連通しない第２の位置で第１のガスケットが停止するように、前記筒状体の先端部に停止手段が設けられてなり、かつ、第２のガスケットは、両端にシール部を有するとともに該シール部の間に薬液通路が設けられてなり、第２のガスケットと接触した状態で第１のガスケットが筒状体の先端まで移動したときに、該薬液通路により薬液の入口と出口が連通する薬液注入器。
【請求項２】
薬液通路がシール部の間に形成された環状溝である請求項１に記載の薬液注入器。
【請求項３】
薬液通路がシール部の間に形成されたガスケットを横断する貫通孔である請求項１に記載の薬液注入器。
【請求項４】
筒状体の基端に第２のガスケットを先端方向に移動させる押し子を設けてなる請求項１〜３のいずれかに記載の薬液注入器。
【請求項５】
停止手段が、筒状体の内壁に設けられた、第１のガスケットの先端と衝合する位置から先端方向に延びる複数の縦リブである請求項１〜４のいずれかに記載の薬液注入器。
【発明の詳細な説明】
【０００１】
【発明の属する技術分野】
本発明は、プライミング操作から連続した操作で少量の薬液を投与するのに好適な薬液注入器に関する。本発明の薬液注入記は、薬液投与の途中で別の薬液を投与する場合や、抗癌剤など混注操作に際して操作者が汚染される虞のある薬剤の投与に好適である。
【０００２】
【従来の技術】
輸液セットやカテーテルを使用して行う薬液投与に際して、薬液投与の途中で別の薬液の投与を必要とすることがよくある。例えば、造影剤や、ホルモン製剤、ペプチド製剤、抗癌剤、ビタミン剤等の場合であり、薬液が予め充填された注射器、所謂プレフィルドシリンジを使用して行われることが多い。
従来、このような混注を必要とする場合、三方活栓やＹ字管を使用して流路を切り換えることにより行っていた。
【０００３】
しかしながら、このような三方活栓やＹ字管を使用した混注の場合、プレフィルドシリンジの接続操作やプライミングの際に、中に収容された薬液が外部に漏れる虞があり、特に抗癌剤など発ガン性の高い製剤を混注する場合には、操作者の健康上問題がある。また、高価な薬液を少量投与する場合、操作が煩雑であり、他の薬液と混合して濃度が希薄になり効果的な投与が出来なかったり、残液があるなどの問題もあった。
【０００４】
【発明が解決しようとする課題】
本発明は、如上の事情に鑑みてなされたもので、操作が簡単で、薬液投与の途中で少量の別の薬液を連続的に投与することが出来る薬液注入器を提供することを目的とする。
【０００５】
【課題を解決するための手段】
本発明者は上記課題を解決するために、鋭意検討の結果、押し子を押し続けるという単一の操作で投薬モードを変更できるプレフィルドシリンジを採用することにより上記課題を解決できることに想到し、本発明を完成した。すなわち本発明は、両端が開放された筒状体と、この筒状体の内腔に所定距離隔てて液密かつ内壁に沿って摺動可能に挿着された、先端側の第１のガスケットと基端側の第２のガスケットを含んでなり、筒状体には、長手軸に関して反対側の側壁に薬液の入口と出口が設けられており、第１のガスケットと第２のガスケットの間は薬液が充填された薬液室になっており、前記第１のガスケットは、両端にシール部を有するとともに中央部分に薬液通路が設けられ、該薬液通路が前記薬液の入口と出口を連通する第１の位置から前記筒状体の先端まで移動可能であり、前記薬液の入口は出口より先端側で前記筒状体の内腔に開口しており、前記薬液室が前記薬液の出口と連通し入口とは連通しない第２の位置で第１のガスケットが停止するように、前記筒状体の先端部に停止手段が設けられてなる薬液注入器に関する。
【０００６】
ここで、第２のガスケットは、薬液室の薬液投与後、薬液の入口からの薬液を投与することが出来るように、両端にシール部を有するとともに中央部分に薬液通路が設けられてなるものであってもよい。但し、この時には、第２のガスケットと接触した状態で第１のガスケットが筒状体の先端まで移動したときに、第２のガスケットの薬液通路を介して薬液の入口と出口が連通する必要がある。また、薬液通路は、シール部の間に形成された環状溝であっても、ガスケットを横断する貫通孔であってもよい。筒状体の基端には第２のガスケットを先端方向に移動させる押し子を設けてもよい。停止手段としては、例えば、筒状体の内壁に設けられた、第１のガスケットの先端と衝合する位置から先端方向に延びる複数の縦リブ等が採用される。
【０００７】
本発明の薬液注入器は、シリンジと接続して、心筋シンチグラフィーのために行う造影剤の血管注入や、腎性貧血の治療のために行う透析回路へのホルモン製剤の混注、骨粗鬆症の治療のためのペプチド製剤の混注、抗癌剤の混注などに使用できるほか、輸液バックやボトルにチューブを介して接続して、メイラード反応を防止するために高カロリー輸液の開始直前にビタミン剤を注入する場合などに使用できる。
【０００８】
【発明の実施の形態】
次に、本発明の実施例を図面に基づいて説明する。
図１は本発明の一実施例を示す縦断面図であり、図２〜図５は本発明の薬液注入器の使用状態を説明するための図である。
図１に示すように、本発明の薬液注入器は、筒状体１と、この筒状体１に挿着された２つのガスケット２、３を含んでなる。筒状体１には、長手軸に関して反対側の側壁に薬液の入口１３と出口１４が設けられており、２つのガスケット２、３の間は薬液室４になっている。第１のガスケット２は、中央部分に薬液通路２２が設けられており、薬液通路２２が薬液の入口１３と出口１４を連通する第１の位置から先端１１まで移動可能である。薬液の入口１３は出口１４より先端側で筒状体１の内腔に開口しており、第１のガスケット２は、薬液室４が薬液の出口１４と連通し入口１３とは連通しない第２の位置で停止するようになっている。
【０００９】
筒状体１は、両端１１，１２が開放されており、その長手軸に関して反対側の側壁には薬液の入口１３と出口１４が設けられ、薬液の入口１３は出口１４より先端１１側で筒状体１の内腔に開口している。筒状体１の内腔には所定距離隔てて２つのガスケット２、３が液密かつ内壁に沿って摺動可能に挿着されており、２つののガスケット２、３の間は薬液室４になっている。薬液室４には薬液（省略されている）が充填されている。
【００１０】
先端１１側の第１のガスケット２は、両端にシール部２１を有しており、中央部分には薬液通路２２が設けられている。薬液通路２２は、シール部２１の間に形成された環状溝２２であっても、ガスケットを横断する貫通孔（図示していない）であってもよい。第１のガスケット２は、その薬液通路２２を介して筒状体１の薬液の入口１３と出口１４が連通する第１の位置から筒状体１の先端１１まで摺動可能であり、筒状体１の先端１１には、先端１１を越えて第１のガスケット２が移動しないように、環状突起１６が設けられている。第１のガスケット２は、これを先端１１方向に移動させた時、薬液室４が薬液の出口１４と連通し入口１３とは連通しない第２の位置で停止するようになっており、そのために先端部には停止手段が設けられている。停止手段としては、例えば、図１に示すような、筒状体１の内壁に設けられた、第１のガスケット２の先端と衝合する位置から先端方向に延びる複数の縦リブ１５や、図示していないが、先端１１方向から内腔に着脱自在に挿着された衝合部材（例えば、後述の押し子５と同様のキャップ状部材、但し、挿着部分の外径は環状突起１６の内径より小さくする必要がある）等が採用可能である。
【００１１】
基端１２側の第２のガスケット３は、薬液通路の無い通常のものであってもよいが、薬液室４の薬液投与後、薬液の入口１３からの薬液を投与することが出来るように、両端にシール部３１を有するとともに中央部分に薬液通路３２が設けられてなるものであってもよい。但し、この時には、第２のガスケット３と接触した状態で第１のガスケット２が筒状体１の先端１１まで移動したときに、第２のガスケット３の薬液通路３２を介して薬液の入口１３と出口１４が連通するようにする必要がある。
筒状体１の基端には第２のガスケット３を先端１１方向に移動させる押し子５を設けてもよい。押し子５としては、特に限定するものではないが、例えば図１に示すような、筒状体１の外壁と係合し、容易に先端１１方向に移動させることが出来るキャップ状のものが好ましく採用される。図中、５１は係合部、５２は押圧部であり、押し子５は、筒状体１の環状溝１７と係合部５１の環状リブ５１１が係合する位置から、筒状体１の段部１８と環状リブ５１１が係合する位置まで移動可能になっている。
【００１２】
次に、本発明の薬液注入器の使用について図面を用いて説明する。
図２〜図５は血管に造影剤を注入する場合の使用例である。
先ず、薬液室４に造影剤（図示していない）の充填された薬液注入器Ｉを用意し、その薬液の出口１４に例えば翼状針（図示していない）を接続する。この時、第１のガスケット２は薬液通路２２が薬液の入口１３と出口１４を連通する第１の位置ある。次に、図２に示すように、薬液注入器Ｉの薬液の入口１３に、生理食塩水（図示していない、以下、生食という）を充填したシリンジＳのチップ６を挿着し、プランジャ７を押すと、シリンジＳの生食は薬液の入口１３、薬液通路２２、出口１４および翼状針を通って流れ、造影剤の流路が洗浄される（プライミングという）。
【００１３】
プライミングが終了したら、翼状針の針を患者の血管に刺入して血管を確保する。次に、薬液注入器Ｉの押し子５を押すと、第２のガスケット３と薬液室４および第１のガスケット２が先端方向に移動し、薬液室４が薬液の出口１４と連通し入口１３とは連通しない第２の位置で停止する。押し子５を押し続けると、薬液室４の造影剤は薬液の出口１４から翼状針を介して血管に注入される（図３参照）。薬剤室４の造影剤が空になると、図４に示すように、２つのガスケット２、３が接触して、第１のガスケット２が環状突起１６により前進を阻止される位置まで一体的に移動する。この時、第２のガスケット３の薬液通路３２を介して薬液の入口１３と出口１４が連通する。次に、シリンジＳのプランジャ７を押すと、生食が薬液の入口１３、薬液通路２２、出口１４および翼状針を通って流れ、薬液の出口１４および翼状針の中に残っている造影剤が血管内に流し込まれる（図５参照）。
【００１４】
【発明の効果】
以上述べたことから明らかなように、本発明によれば、以下のような効果が期待できる。
押し子を押し続けるだけの単純な操作で投薬モードを変更できるので、操作が簡単である。また、投薬の途中で別の薬液を連続して投与できるので、高価な薬液を少量投与する場合に便利であり、この場合、他の薬液と混合するように投与するものではないので濃度が希薄になることも無く、効果的な投与が出来る。高価な薬液の投与後再び安価な薬液を投与することにより、高価な薬液の残液を流し込むことが出来るので、高価な薬液を無駄にしないで済む。
【図面の簡単な説明】
【図１】本発明の一実施例を示す縦断面図である。
【図２】本発明の薬液注入器の使用状態を説明するための図である。
【図３】本発明の薬液注入器の使用状態を説明するための図である。
【図４】本発明の薬液注入器の使用状態を説明するための図である。
【図５】本発明の薬液注入器の使用状態を説明するための図である。
【符号の説明】
１  筒状体
１１  先端
１２  基端
１３  薬液の入口
１４  薬液の出口
１５  縦リブ
１６  環状突起
１７  環状溝
１８  段部
２  第１のガスケット
２１  シール部
２２  薬液通路
３  第２のガスケット
３１  シール部
３２  薬液通路
４  薬液室
５  押し子
５１  係合部
５１１  環状リブ
５２  押圧部
６  チップ
７  プランジャ
Ｓ  シリンジ
Ｉ  薬液注入器
【図１】
0003762873.tif 000002
【図２】
0003762873.tif 000003
【図３】
0003762873.tif 000004
【図４】
0003762873.tif 000005
【図５】
0003762873.tif 000006